(57)【要約】【課題】  本発明は車体の一部等である支持体へパネルを連結する装置に関する。【解決手段】  本装置は、保持ブッシング（１５）を連結するために形成された切り込みを設けた下部、中間部、および上部を有する細長い下部を含む本体（１）を有する。保持ブッシングは環状ヘッド（１６）を含み、そこから細長い脚（１７）と短い脚（１８）が交互に下方へ延び、ブッシングおよび本体の開口部への挿入に対応する下方挿入位置で下部および中間部に連結され、かつブッシングが支持体に対して保持される相対的に高い位置で中間部および上部に連結される。【選択図】      図３
2005207598.tif 000002
【特許請求の範囲】
【請求項１】
パネルのキャリッジ（３）に連結するための少なくともディスク形上領域（２）、および車体の一部等である支持体（５）の開口部（２０）と交差し、かつ漏れを防止するために前記支持体（５）の上面上に当接する保持手段によって前記支持体（５）に連結されたガスケット（６）を含んでよい細長い下部（４）を有する本体（１）を備えた、支持体にパネルを取り付ける取付装置において、
前記細長い下部（４）は保持ブッシング（１５）に挿入されていて、前記保持ブッシング（１５）は、保持ブッシング（１５）および前記本体（１）の前記支持体の開口部（２０）への後の挿入のために取付装置の運搬位置と支持位置に対応する下方挿入位置で連結され、かつ前記保持ブッシング（１５）の保持が前記支持体（５）に対して確立される続く状態に対応する上方保持位置で連結され、
前記細長い下部（４）は円錐形端部（７）、下部（８）、中間部（９）および上部（１０）を含み、前記中間部（９）および上部（１０）は垂直側リブ（１１）により制限された切り込みを有し、
前記保持ブッシング（１５）は複数の細長い脚（１７）と短い脚（１８）が交互に下方へ延びた環状ヘッド（１６）を含み、下方挿入位置において前記細長い脚（１７）が前記本体（１）の下部（８）に収納されかつ前記短い脚（１８）が前記中間部（９）に収納され、かつ上方保持位置において前記細長い脚（１７）が前記リブ（１１）上に設置され前記支持体（５）の下面下で外方へ曲折し拡張して保持を確立しかつ前記短い脚（１８）が前記上部（１０）に収納されるように構成されていることを特徴とする、パネルを支持体へ取り付ける取付装置。
【請求項２】
前記中間部（９）および前記上部（１０）の切り込みは、相互に反対の傾斜面を形成する上円錐形壁（９’，１０’）および下円錐形壁（９”，１０“）により制限されていて、前記上部（１０）の下円錐形壁（１０”）は前記保持ブッシング（１５）の上方挿入位置から下方保持位置への滑動を促進し、かつ前記中間部（９）の下円錐形壁（９”）は前記本体（１）からの前記保持ブッシング（１５）の引き抜きを促進することを特徴とする請求項１によるパネルを支持体へ取り付ける取付装置。
【請求項３】
前記下部（８）の切り込みは、前記保持ブッシング（１５）の下方挿入位置から上方保持位置への前記細長い脚（１７）の滑動を促進する上円錐形壁（１２）、円筒形下コア（１３）、および前記保持ブッシング（１５）の下方挿入位置における前記保持ブッシング（１５）の回転を阻止する垂直リブ（１４）により制限されていることを特徴とする請求項１によるパネルを支持体へ取り付ける取付装置。
【請求項４】
前記細長い脚（１７）は下端近くで僅かに傾斜し、かつ前記保持ブッシング（１５）の下方挿入位置において前記円錐形端部（７）の上面上に一体化されて前記支持体（５）の開口部（２０）の縁に衝突するのが防止されると共に前記開口部へ導入される構成であることを特徴とする請求項１によるパネルを支持体へ取り付ける取付装置。
【発明の詳細な説明】
【技術分野】
【０００１】
本発明は、車体の一部等の支持体へパネルを連結するための取付装置に関する。
【背景技術】
【０００２】
ドアパネルを車体へ連結するためのユニオンパーツは既知であり、これらのパーツは車体の一部に形成された開口部へ導入される細長い下部を有し、かつディスク形部を形成する上部を有し、下部は対応する保持手段により固定され、保持手段は滑走することによりパネル錠へ連結される。
【０００３】
米国特許第６３３６７６８号に開示の、ユニオンパーツを車体へ連結する保持手段は下部に形成されたフランジで構成され、その連結位置において車体開口部の周辺縁から突出し、その連結位置は車体の上面上に当接する上ガスケットにより安定する。
【０００４】
ＥＰ０９６４１７０は、封止ガスケットに連結される上固定タブを有しかつ連結部の下部の切り込み(incuts)と係合する脚を備えた本体を有する保持要素を含む。連結部品の本体への取り付けは、本体の上面上に封止ガスケット、および本体の開口部下の連結部品の大きい直径を有する下部により加わる圧力によって達成される。
【０００５】
連結部品を本体へ取り付ける他の解決法がＷＯ０２／２９２６０に示されており、開示された連結装置は圧力により相互に結合する雄雌部材を含む。雄部材はパネルへ連結するための首部を有する上ヘッド、中間部および歯付き下部を有する。雌部材は封止された吸引上部および弾性側アームを含み、歯付き下部の下方挿入位置のセンタリングをする。雌部材は側アーム上に周辺段を有し、開口部の口内に雌部材のための連結位置を吸引上部と共に確立する。更に、パネルと本体の相対的距離は雌部材の組み立て後に設定され、かつ雄部材は雌部材内で移動可能であり、かつ雌部材のフランジと雄部材の歯付き下部のタブを連結することによってその位置を設定する。
【０００６】
これらの装置の構造および機能の煩雑さ、同様に連結部品と本体の非垂直位置は、例えば本発明により提案される装置のように、より一層簡単で信頼性のある他の装置の開発の必要性を決定する。
【０００７】
【特許文献１】米国特許第６３３６７６８号
【特許文献２】ＥＰ０９６４１７０
【特許文献３】ＷＯ０２／２９２６０
【発明の開示】
【発明が解決しようとする課題】
【０００８】
本発明の課題は、支持体とパネルとを連結するための手段を構成する本体を有する取付装置が、保持ブッシングの連結および取り外しを促進し、本体の支持体への取り付けを連結状態で固定し、本体の垂直位置を維持するために適切な幾何学形状を有する下部を提供することにある。
【課題を解決するための手段】
【０００９】
本発明による支持体にパネルを取り付ける取付装置は、パネルのキャリッジに連結するための少なくともディスク形上領域、および車体の一部等であってよい支持体の開口部と交差し、かつ漏れを防止するために前記支持体の上面上に当接する保持手段によって前記支持体に連結されたガスケットを含んでよい細長い下部を有する本体を備えた取付装置に関する。
【００１０】
かかる取付装置において、前記細長い下部は保持ブッシングに挿入されていて、前記保持ブッシングは、その保持ブッシングそして前記本体の前記支持体の開口部への後の挿入のために取付装置の運搬位置と支持位置に対応する下方挿入位置で連結され、かつ前記保持ブッシングの保持が前記支持体に対して確立される続く状態に対応する上方保持位置で連結されるように構成されている。
【００１１】
更に、前記細長い下部は円錐形端部、下部、中間部および上部を含み、前記中間部および上部は垂直側リブにより制限された切り込みを有し、前記保持ブッシングは複数の細長い脚と短い脚が交互に下方へ延びた環状ヘッドを含み、下方挿入位置において前記細長い脚が前記本体の下部に収納されかつ前記短い脚が前記中間部に収納され、かつ上方保持位置において前記細長い脚が前記リブ上に設置され前記支持体の下面下で外方へ曲折し拡張して保持を確立しかつ前記短い脚が前記上部に収納されるように構成されていることを特徴とする。
【００１２】
好適形態において、前記中間部および前記上部の切り込みは、相互に反対の傾斜面を形成する上円錐形壁および下円錐形壁により制限されていて、前記上部の下円錐形壁は前記保持ブッシングの上方挿入位置から下方保持位置への滑動を促進し、かつ前記中間部の下円錐形壁は前記本体からの前記保持ブッシングの引き抜きを促進する。
【００１３】
好適形態において、前記下部の切り込みは、前記保持ブッシングの下方挿入位置から上方保持位置への前記細長い脚の滑動を促進する上円錐形壁、その下に形成された円筒形下コア、および前記保持ブッシングの下方挿入位置における前記保持ブッシングの回転を阻止する垂直リブにより制限されている。
【００１４】
好適形態において、前記細長い脚は下端近くで僅かに傾斜し、かつ前記保持ブッシングの下方挿入位置において前記円錐形端部の上面上に一体化されて前記支持体の開口部の縁に衝突するのが防止されると共に前記開口部へ導入される構成である。
【００１５】
要約すると、本発明による取付装置は、特定の幾何学形状を持つ切り込みおよび傾斜段により形成された複数の区域を有する細長い下部を備えた本体を含み、前記本体に保持ブッシングが、支持体に形成された開口部への前記保持ブッシングおよび前記細長い部の挿入に対応する下方挿入位置において連結され、かつ前記保持ブッシングおよび前記本体を連結するために前記支持体へ前記保持ブッシングが導入されるときに前記保持ブッシングの屈曲と側方への拡張を可能にする上方保持位置において連結されている。
【００１６】
前記本体は前記支持体の上面上に当接する上ガスケットにより前記保持ブッシングの上方保持位置で前記支持体に取り付けられる。
【００１７】
前記本体の細長い下部は前記支持体内に形成された開口部への前記本体の通過を促進する円錐形下端を有する。前記円錐形下端よりも高いレベルに、下部、中間部および上部があり、前記中間部および上部において相互に反対の傾斜面を有する上円錐形および下円錐形の壁、および垂直リブにより切り込みが形成されている。前記下部において、切り込みは上円錐形壁、円筒状下コアおよび一つの垂直リブにより形成されている。
【００１８】
前記保持ブッシングは一好適形態として三つの細長い脚が短い脚と交互に突出した環状ヘッドを有する。
【００１９】
前記保持ブッシングの下方挿入位置において、前記本体の細長い下部および前記保持ブッシングは前記支持体へ導入され、前記細長い脚は前記本体の下部上に設置されかつ前記短い脚は前記本体の中間部内に収納される。
【００２０】
前記細長い脚は下端近くで僅かに傾斜し、前記円錐形端部の上面上に一体化され、即ち、前記下部上に載置されて、前記支持体の開口部への挿入時に開口部の縁へ衝突しないように構成される。
【００２１】
前記保持ブッシングは、前記支持体の開口部へ挿入された後に、前記本体上を上昇する。即ち、前記細長い脚が前記中間部の垂直リブ上を滑動し、前記支持体の下面下で外方に拡張して保持を確立し、他方で短い脚が前記上部内に収納される。
【００２２】
前記下部の垂直リブはストッパを構成し、前記保持ブッシングがその下位置に位置決めされるときに、前記本体の周りを回転するのを防止する。
【発明を実施するための最良の形態】
【００２３】
本発明の特徴のより良い理解のために、添付図面を参照して本発明の好適実施形態を説明する。
【００２４】
本発明によるパネルを支持体へ取り付けるための装置は、パネルのキャリッジ３へ連結するための少なくともディスク形上領域２、および車体の一部等であってよい支持体５の開口部２０と交差する細長い下部４を含む本体１の簡単な組み合わせに基礎を置き、かつ漏れを防止するために支持体５の上面上に当接する対応する保持手段によって支持体５へ連結されるガスケット６を含んでよい。
【００２５】
この構成に基づいて、本発明による取付装置は、主に、細長い下部４が保持ブッシング１５に挿入され、保持ブッシング１５が保持ブッシング１５そして本体１を開口部２０へ後に挿入するための取付装置の運搬、供給位置に対応する下方挿入位置に連結され（図３参照）、かつ続く状態に対応する上方保持位置に連結され、そこで保持ブッシング１５の保持は支持体５に対して確立される（図４参照）点で傑出している。
【００２６】
細長い下部４は円錐形端部７を含みかつ相対的に高いレベルに下部８、中間部９および上部１０を有し、中間部９および上部１０は垂直側リブ１１により制限された切り込み（incut）を有する。
【００２７】
保持ブッシング１５は環状ヘッド１６を含み、環状ヘッドから下方に複数の細長い脚１７が短い脚１８と交互に延び、下方挿入位置において細長い脚１７は本体の下部８へ収納され、かつ短い脚１８は中間部９へ収納されるようになっていて、上方保持位置において細長い脚１７は側リブ１１上に設置され、支持体５の下面下で曲折しかつ外方に拡張して保持位置を形成し、他方、短い脚１８は上部１０内に収納される。
【００２８】
中間部９および上部１０の切り込みは反対側に傾斜した上円錐形壁９’，１０’および下円錐形壁９”，１０”により画定され、上部の下円錐形壁１０”は保持ブッシング１５の上方保持位置から下方挿入位置への短い脚１８の滑走を促進し、かつ中間部９の下円錐形壁９”は本体１からの保持ブッシング１５の引き抜きを促進する。
【００２９】
下部８の切り込みは上円錐形壁１２により画定され、保持ブッシング１５の下方挿入位置から上方保持位置への細長い脚１７の滑走を促進し、下円筒状コア１３および垂直リブ１４は保持ブッシング１５の下方挿入位置への回転を阻止し、細長い脚１７は保持ブッシング１５の下方挿入位置において下部８の切り込みに収納され、細長い脚１７は下端近くで僅かに傾斜しかつ円錐形端部７の上面上に一体化されて、支持体５の開口部２０の縁への衝突を阻止され、かつ開口部２０へ導入される。
【図面の簡単な説明】
【００３０】
【図１】本発明による取付装置の本体の立面図を示す。
【図２】本発明による保持ブッシングの斜視図を示す。
【図３】支持体の開口部へ挿入される保持ブッシングと本体の状態に対応する下方挿入位置に保持ブッシングが観察できる取付装置の立面図を示す。
【図４】支持体に対して保持位置を確立するために細長い脚が外方へ拡張した、保持ブッシングが上方保持位置にある取付装置の立面図を示す。
【符号の説明】
【００３１】
１    本体
２    ディスク形上領域
３    キャリッジ
４    細長い下部
５    支持体
６    ガスケット
７    円錐形端部
８    下部
９    中間部
１０    上部
１１    リブ
１３    コア
１５    保持ブッシング
１７    細長い脚
１８    短い脚
【図１】
2005207598.tif 000003
【図２】
2005207598.tif 000004
【図３】
2005207598.tif 000005
【図４】
2005207598.tif 000006